(57)【要約】【課題】廃棄物保管用容器を水平方向に互いに当接させて複数個配置した場合であっても、廃棄物保管用容器の吊り上げなどの作業を円滑かつ迅速に行うことができ、かつ、吊り上げなどの作業に用いる部材を、磨耗などが生じ難い実施形態で適用することができる廃棄物保管用容器を提供する。【解決手段】上方に開口した開口部２ｆを有する鉄筋コンクリート製の容器本体２を備えた廃棄物保管用容器１であって、廃棄物保管用容器１を水平方向に互いに当接させて複数個配置した場合に、隣接する廃棄物保管用容器同士の間に鉛直に延びる空間を形成させることができる切欠部２ｂ、および、切欠部２ｂの下方に位置するフック係止用凹部２ｃが、容器本体２に形成されている、廃棄物保管用容器１。【選択図】図１
2015161516.tif 000002
【特許請求の範囲】
【請求項１】
上方に開口した開口部を有する鉄筋コンクリート製の容器本体を備えた廃棄物保管用容器であって、
上記廃棄物保管用容器を水平方向に互いに当接させて複数個配置した場合に、隣接する廃棄物保管用容器同士の間に鉛直に延びる空間を形成させることができる切欠部、および、該切欠部の下方に位置するフック係止用凹部が、上記容器本体に形成されていることを特徴とする廃棄物保管用容器。
【請求項２】
上記容器本体の上記切欠部と共に上記鉛直に延びる空間を形成させることができる切欠部を有する鉄筋コンクリート製の蓋を備えた請求項１に記載の廃棄物保管用容器。
【請求項３】
上記容器本体が、水平方向に切断した断面の輪郭として、略矩形の形状を有する請求項１又は２に記載の廃棄物保管用容器。
【請求項４】
上記容器本体の上方に配置するための枠体と、上記枠体から下方に垂下して上記廃棄物保管用容器同士の間に鉛直に延びる空間の中に挿通させるためのワイヤと、上記ワイヤの下端に取り付けたフックとからなる、上記廃棄物保管用容器を吊り上げるための付属部材を備えた請求項１〜３のいずれか１項に記載の廃棄物保管用容器。
【請求項５】
請求項４に記載の廃棄物保管用容器を吊り上げるための方法であって、
上記枠体を、上記フックが上記廃棄物保管用容器の容器本体の上方に位置するように、位置決めする工程と、
上記枠体を下降させて、上記ワイヤおよび上記フックを、上記容器本体の切欠部によって形成された上記鉛直に延びる空間の中に挿通させていき、上記フックを上記フック係止用凹部に係止させる工程と、
上記枠体を上昇させて、上記廃棄物保管用容器の容器本体を吊り上げる工程と、
を含むことを特徴とする廃棄物保管用容器の吊り上げ方法。
【発明の詳細な説明】
【技術分野】
【０００１】
本発明は、重金属汚染物、放射性汚染物、放射性廃棄物等を保管するための廃棄物保管用容器に関する。
【背景技術】
【０００２】
従来、コンクリート製の放射性廃棄物保管用容器が知られている。
例えば、特許文献１に、放射性廃棄物を収納可能かつ放射能を遮蔽可能な放射性廃棄物収納容器１であって、放射性廃棄物の収納部を形成するドラム缶２と、ドラム缶２の側周部及び底面部の外面を覆うコンクリート被覆層３と、ドラム缶２の上部を覆う中蓋４と、中蓋４をドラム缶２に固定する固定手段５と、中蓋４を覆うとともにコンクリート被覆層３の上部に配置されるコンクリート製の外蓋６とを有することを特徴とする放射性廃棄物収納容器１が記載されている（請求項１、図１参照）。
【０００３】
また、特許文献１には、放射性廃棄物収納容器１を車両積載型トラッククレーンから降ろしたり、車両積載型トラッククレーンに回収したりする場合に、放射性廃棄物収納容器１の周面に埋め込まれたインサート３３に吊り下げ用金具８１を取り付け、吊り下げ用金具８１にワイヤ８２を掛け回し、クレーンのフック８３にワイヤ８２を係止させて放射性廃棄物収納容器１を昇降させることが記載されている（図５参照）。
【先行技術文献】
【特許文献】
【０００４】
【特許文献１】特開２０１３−１９５０９１号公報
【発明の概要】
【発明が解決しようとする課題】
【０００５】
上述のとおり、特許文献１の図５には、インサート３３、吊り下げ用金具８１、ワイヤ８２およびクレーン（フック８３を含む。）を用いて、廃棄物収納容器１を昇降させることが記載されている。
この場合、以下の点で改善の余地がある。
まず、吊り下げ用金具８１を用いているため、廃棄物収納容器１を水平方向に互いに当接させて複数個配置した場合には、廃棄物収納容器１に吊り下げ用金具８１を取り付けようとしても、当該廃棄物収納容器１に隣接する他の廃棄物収納容器が障害になって、吊り下げ用金具８１を取り付けることが困難である。
また、ワイヤ８２が、廃棄物収納容器１の上側の角部に接触するため、ワイヤ８２の当該接触箇所が磨耗し易いという問題がある。
【０００６】
本発明の目的は、廃棄物保管用容器を水平方向に互いに当接させて複数個配置した場合であっても、廃棄物保管用容器の吊り上げなどの作業を円滑かつ迅速に行うことができ、かつ、吊り上げなどの作業に用いる部材を、磨耗などが生じ難い実施形態で適用することができる廃棄物保管用容器を提供することである。
【課題を解決するための手段】
【０００７】
本発明者は、上記課題を解決するために鋭意検討した結果、上方に開口した開口部を有する鉄筋コンクリート製の容器本体に、特定の切欠部および特定のフック係止用凹部を形成させれば、前記の目的を達成しうることを見出し、本発明を完成した。
【０００８】
本発明は、以下の［１］〜［５］を提供するものである。
［１］  上方に開口した開口部を有する鉄筋コンクリート製の容器本体を備えた廃棄物保管用容器であって、上記廃棄物保管用容器を水平方向に互いに当接させて複数個配置した場合に、隣接する廃棄物保管用容器同士の間に鉛直に延びる空間を形成させることができる切欠部、および、該切欠部の下方に位置するフック係止用凹部が、上記容器本体に形成されていることを特徴とする廃棄物保管用容器。
［２］  上記容器本体の上記切欠部と共に上記鉛直に延びる空間を形成させることができる切欠部を有する鉄筋コンクリート製の蓋を備えた、上記［１］に記載の廃棄物保管用容器。
［３］  上記容器本体が、水平方向に切断した断面の輪郭として、略矩形の形状を有する、上記［１］又は［２］に記載の廃棄物保管用容器。
【０００９】
［４］  上記容器本体の上方に配置するための枠体と、上記枠体から下方に垂下して上記廃棄物保管用容器同士の間に鉛直に延びる空間の中に挿通させるためのワイヤと、上記ワイヤの下端に取り付けたフックとからなる、上記廃棄物保管用容器を吊り上げるための付属部材を備えた、上記［１］〜［３］のいずれかに記載の廃棄物保管用容器。
［５］  上記［４］に記載の廃棄物保管用容器を吊り上げるための方法であって、上記枠体を、上記フックが上記廃棄物保管用容器の容器本体の上方に位置するように、位置決めする工程と、上記枠体を下降させて、上記ワイヤおよび上記フックを、上記容器本体の切欠部によって形成された上記鉛直に延びる空間の中に挿通させていき、上記フックを上記フック係止用凹部に係止させる工程と、上記枠体を上昇させて、上記廃棄物保管用容器の容器本体を吊り上げる工程と、を含むことを特徴とする廃棄物保管用容器の吊り上げ方法。
【発明の効果】
【００１０】
本発明によれば、隣接する他の廃棄物保管用容器との間に、鉛直に延びる空間を形成させることができる切欠部、および、該切欠部の下方に位置するフック係止用凹部を、容器本体に設けているので、廃棄物保管用容器を１個だけ配置した場合のみならず、廃棄物保管用容器を水平方向に互いに当接させて複数個配置した場合であっても、ワイヤおよび該ワイヤの下端に取り付けたフックを、容器本体の切欠部によって形成された鉛直に延びる空間の中に挿通させることができ、廃棄物保管用容器の吊り上げなどの作業を円滑かつ迅速に行うことができる。
【００１１】
また、本発明によれば、隣接する他の廃棄物保管用容器との間に、鉛直に延びる空間を形成させることができる切欠部を、容器本体に設けているので、この鉛直に延びる空間を利用して、吊り上げなどの作業のためのワイヤを垂下させる（換言すると、鉛直方向に垂れ下げる）ことができ、このワイヤが廃棄物保管用容器の上側の角部と接触して磨耗することを避けることができる。
【図面の簡単な説明】
【００１２】
【図１】本発明の廃棄物保管用容器を構成する容器本体および蓋を示す斜視図である。
【図２】図１に示す廃棄物保管用容器をＡ−Ａ線で鉛直に切断した状態を示す断面図である。
【図３】本発明の廃棄物保管用容器を構成する容器本体を、水平方向に複数個、容器本体同士が当接するように配置させた状態を示す平面図である。
【図４】図３に示す容器本体に蓋を取り付けた状態を示す平面図である。
【図５】本発明の廃棄物保管用容器を２個、鉛直方向に積み重ねた状態を示す斜視図である。
【図６】図５に示す積み重ねた２個の廃棄物保管用容器の全体を吊り上げようとする状態を示す斜視図である。
【図７】本発明の廃棄物保管用容器の付属部材であるワイヤ（部分）およびフックを説明するための図である。
【発明を実施するための形態】
【００１３】
以下、図面を参照しつつ、本発明の廃棄物保管用容器の実施形態の例を説明する。
図１〜図４中、廃棄物保管用容器１は、上方に開口した開口部２ｆを有する鉄筋コンクリート製の容器本体２、および、鉄筋コンクリート製の蓋３を備えている。
容器本体２および蓋３は、ともに、水平方向に切断した断面の外形形状（外側の輪郭）が略矩形になるように形成されている。
容器本体２は、鉛直方向に延びる外周面である４つの側面部２ａと、側面部２ａ同士の間（換言すると、水平断面の輪郭が略矩形の形状である容器本体２における四隅の角の部分）に介在するように形成された、長尺の矩形の平面からなる４つの切欠部２ｂと、４つの切欠部２ｂの下方に位置する４つのフック係止用凹部２ｃ（図２中、水平方向に延びる面と、鉛直方向に延びる面とで形成されている。）と、開口部２ｆの周囲に形成された、略矩形の環状の平坦面である上面部２ｄと、４つの側面部２ａの下端で囲まれた下面部２ｅと、鉛直方向に延びる内面である４つの内周面部２ｇと、４つの内周面部２ｇで囲まれた底面部２ｈ（図３参照）を有する。
【００１４】
容器本体２の寸法は、特に限定されないが、例えば、長さが１，０００〜２，０００ｍｍ、幅が１，０００〜２，０００ｍｍ、高さが１，０００〜２，０００ｍｍ、切欠部２ｂの幅が５０〜３００ｍｍ、フック係止用凹部２ｃの高さが５０〜１００ｍｍ、フック係止用凹部２ｃの水平方向の深さ（容器本体２の内方に向かって凹んでいる水平方向の距離；図２参照）が５０〜１００ｍｍである。
容器本体２を形成する各壁部の厚さは、特に限定されないが、例えば、１００〜２００ｍｍである。
【００１５】
蓋３は、水平方向に延びる平坦な略矩形の面を有する上面部３ａと、上面部３ａと同じ形状を有する下面部３ｄと、鉛直方向に延びる外周面である４つの側面部３ｂと、側面部３ｂ同士の間に介在するように形成された、矩形の平面からなる４つの切欠部３ｃを有する。
容器本体２と蓋３は、互いに嵌合して水平方向へのズレが生じないように、例えば、容器本体２の内周面部２ｇに内側から接しうる突起部（図示せず）を、蓋３の下面部３ｄに形成させるなどして、構成することができる。
また、廃棄物保管用容器１と、該容器１の上に積み重ねられる他の廃棄物保管用容器１は、互いに嵌合して水平方向へのズレが生じないように、例えば、下側に位置する容器１の蓋３の上面部３ａに、突起部（図示せず）を設け、かつ、上側に位置する他の容器１の容器本体２の下面部２ｅに、前記の突起部と嵌合しうる凹部を形成させるなどして、構成することができる。
蓋３の寸法は、長さ、幅、および切欠部３ｃの幅については、容器本体２と同じ寸法である。蓋３の厚さは、特に限定されないが、例えば、５０〜２００ｍｍである。
【００１６】
本発明の廃棄物保管用容器は、重金属汚染土壌等の重金属汚染物や、放射性汚染土壌、放射性汚染焼却灰等の放射性汚染物や、原子力発電所で発生する放射性廃棄物等を保管するためのものであり、特に、放射性汚染物や放射性廃棄物の保管に好ましく用いることができる。
容器本体２および蓋３は、鉄筋コンクリート製である。コンクリートとしては、特に限定されないが、例えば、重量コンクリート、普通コンクリート、軽量コンクリート等が挙げられる。
本発明の廃棄物保管用容器１の放射線遮蔽率は、例えば、７０〜９７％である。本発明の廃棄物保管用容器１を放射性汚染物や放射性廃棄物の保管の用途に用いる場合は、目的とする放射線遮蔽率が得られるように、コンクリートの種類や、容器本体２を形成する各壁部の厚さや、蓋３の厚さを定めればよい。
【００１７】
廃棄物保管用容器１の容器本体２の切欠部２ｂおよびフック係止用凹部２ｃ、および蓋３の切欠部３ｃは、以下の目的のために設けられている。
図３および図４に示すように、廃棄物保管用容器１を水平方向に互いに当接させて複数個配置した場合に、切欠部２ｂは、隣接する廃棄物保管用容器１同士の間に鉛直に延びる空間１０（図３、図４参照）を形成させることができる。
また、図３および図４に示す状態において、フック係止用凹部２ｃ（図１参照）は、切欠部２ｂの下方に形成されているため、鉛直に延びる空間１０と連通し、かつ、鉛直に延びる空間１０の下端にて廃棄物保管用容器１の内方に折曲する空間を形成している。
【００１８】
このため、例えば、図５および図６に示すように、廃棄物保管用容器１を水平方向に互いに当接させて複数個配置し、かつ、鉛直方向にも複数段積み重ねて配置した場合であっても、矩形の枠体１３（図６参照）の四隅から垂下させた４本のワイヤ１４、および、４本のワイヤの各々の下端に取り付けられたフック１５を、鉛直に延びる空間１０の中に挿通させ、フック１５をフック係止用凹部２ｃに係止させた後に、枠体１３を、クレーン用吊り下げ部材１１および枠支持用吊り下げ部材１２を用いて、鉛直方向に吊り上げることによって、廃棄物保管用容器１を吊り上げることができる。
【００１９】
図５および図６に示す廃棄物保管用容器１によると、廃棄物保管用容器１を水平方向に切断した断面が略矩形であるので、例えば該断面が円形である場合に比べて、廃棄物保管用容器の保管場所における無駄な空間が非常に少なくなり、当該保管場所における保管能力を最大限に発揮することができる。
また、隣接する廃棄物保管用容器１同士の間に鉛直に延びる空間１０が、廃棄物保管用容器１の四隅に存在するため、図６に示すように４本のワイヤ１４を用いることができ、例えば３本のワイヤを用いる場合に比べて、ワイヤ１本当たりの負荷を軽減させかつ吊り上げ時の安定性を高めることができる。
さらに、複数段（例えば、２〜４段）の廃棄物保管用容器１に対して、最上層の廃棄物保管用容器から、最下層の廃棄物保管用容器に向かって、この順に、廃棄物保管用容器を１個ずつ吊り上げて移動させる作業や、複数段（例えば、２段）に積み上げられた複数個（例えば、２個）の廃棄物保管用容器を一度に吊り上げて移動させる作業も、容易に行うことができる。
【００２０】
次に、本発明の廃棄物保管用容器の吊り上げ方法について説明する。
図６中、本発明の廃棄物保管用容器の吊り上げ方法は、クレーン用吊り下げ部材（例えば、図示しないクレーンによって垂下された大径のワイヤ）１１の下端に結び付けられた枠支持用吊り下げ部材（例えば、４本のワイヤ）１２によって吊り下げられた枠体１３を、枠体１３の四隅から垂下した４本のワイヤ１４の各々の下端に取り付けた４つのフック１５が、廃棄物保管用容器１の容器本体２および蓋３の四隅（角の部分）の上方に位置するように、位置決めする工程と、枠体１３を下降させて、ワイヤ１４およびフック１５を、容器本体２の切欠部２ｂおよび蓋３の切欠部３ｃによって形成された鉛直に延びる空間１０（図４参照）の中に挿通させていき、フック１５を、容器本体２のフック係止用凹部２ｃに係止させる工程と、枠体１３を上昇させて、廃棄物保管用容器１を吊り上げる工程を含む。
【００２１】
フック１５は、例えば、図７に示すように、フック係止用凹部２ｃに係止させるときには、ワイヤ１４に対して垂直に延びる状態（図７中の（ａ））となり、フック係止用凹部２ｃに係止させる前の容器本体２同士の間の空間１０（図４参照）に挿通させるときには、ワイヤ１４に対して鋭角の角度に延びる状態（図７中の（ｂ））となるように、ワイヤ１４の下端付近を軸として回動可能に、ワイヤ１４に取り付けることができる。
この場合、フック１５は、図７中の（ａ）と（ｂ）の間を自由に回動することができるものの、図７中の（ａ）の状態よりも下方（換言すると、ワイヤ１４に対して鈍角の角度に延びる状態）に回動することはできない。
【００２２】
このため、例えば、図６のように容器１を２段に積み上げた場合、フック１５は、空間１０を下降する間、図７中の（ｂ）の状態を保ち、上段の容器１のフック係止用凹部２ｃに達したときに、図７中の（ａ）の状態となる。そして、さらにフック１５を下降させると、再び、図７中の（ｂ）の状態となり、下段の容器２のフック係止用凹部２ｃに達したときに、再び、図７中の（ａ）の状態となり、下段の容器２のフック係止用凹部２ｃに係止される。この状態で枠１３を上昇させると、２段の容器１，１全体を吊り上げることができる。
なお、フック１５が、上段の容器１のフック係止用凹部２ｃに係止されたときに、枠１３を上昇させれば、上段の容器１のみを吊り上げることができる。
このように、廃棄物保管用容器１を１つずつ吊り上げることもできるし、あるいは、複数個（複数段）の廃棄物保管用容器１を一度に吊り上げることもできる。
【符号の説明】
【００２３】
１    廃棄物保管用容器
２    容器本体
２ａ    側面部
２ｂ    切欠部
２ｃ    フック係止用凹部
２ｄ    上面部
２ｅ    下面部
２ｆ    開口部
２ｇ    内周面部
２ｈ    底面部
３    蓋
３ａ    上面部
３ｂ    側面部
３ｃ    切欠部
３ｄ    下面部
１０    鉛直方向に延びる空間
１１    クレーン用吊り下げ部材
１２    枠支持用吊り下げ部材
１３    枠体
１４    ワイヤ
１５    フック
【図１】
2015161516.tif 000003
【図２】
2015161516.tif 000004
【図３】
2015161516.tif 000005
【図４】
2015161516.tif 000006
【図５】
2015161516.tif 000007
【図６】
2015161516.tif 000008
【図７】
2015161516.tif 000009